(57)【特許請求の範囲】
【請求項１】
レンズを保持するレンズ枠と、このレンズ枠を光軸方向に移動可能に保持するガイド手段と、全ネジ形状の送りネジを有するモータ軸と、この送りネジに係合される送りネジと略同一ピッチのネジ部を有する前記レンズ枠光軸方向移動用駆動ラックを具備し、前記駆動ラックネジ部の光軸方向両端部のネジ形状を他のネジ部より尖り三角形の高さが高いことを特徴とするレンズ移動装置。
【請求項２】
送りネジを有するモータ軸とレンズ駆動ラックとの係合部の光軸方向両端部のレンズ駆動ラックネジピッチをモータ軸の送りネジのネジピッチと異なるように設定したことを特徴とするレンズ移動装置。
【発明の詳細な説明】
【０００１】
【発明の属する技術分野】
本発明は、ビデオカメラ等に用いるレンズ移動装置に関するものである。
【０００２】
【従来の技術】
近年、ビデオカメラのレンズとして、前玉による合焦方式に変わってマスターレンズ等の前玉以外のレンズによって合焦させるインナーフォーカス方式が多く採用されている。
【０００３】
以下図面を参照しながら、上述した従来のレンズ移動装置の一例について説明する。
【０００４】
図３は従来のレンズ移動装置の断面構造図、図４は図３における主要部分の一部切欠き斜視図、図５は図３におけるモータ軸と駆動ラックとの係合部構造図、図６は図５の主要部分の断面構造図である。
【０００５】
図３，図４，図５，図６において、マスターレンズ１，２は樹脂製のレンズ枠３に加熱カシメ等の手段により保持されており、前記レンズ枠３は固定鏡筒４の内部に配置されたガイドポール５，６により光軸方向７に摺動可能に保持されている。また、レンズ枠３の上部にはモータ８の軸に形成された送りネジ９ａを有する駆動軸９に、前記送りネジ９ａと略同一ピッチのネジ部１２ａを有する駆動ラック１２を設け、前記駆動軸９の回転を光
軸方向直線運動に変換されるよう係合されている。
【０００６】
又、駆動軸９を挟んで対向する位置に位置ずれ防止ラック１３を設けている。
【０００７】
【発明が解決しようとする課題】
しかしながらこのような従来の構成では、送りネジとレンズ駆動ラックとの摺動性を向上させるためネジにグリス等を塗布する必要があり、レンズ駆動ラックのネジ部フランク面全体が送りネジフランク面に接しているとグリスの粘性のためモータの負荷が増大し、低温での温度特性を悪化させるため高トルクのモータが必要になり野外で使用するビデオカメラにおいて重要な要素である消費電力，重量，体積が共に増加するという問題があった。また、送りネジとレンズ駆動ラックとの間には摺動するためのクリアランスがあり、このクリアランスのためモータ軸の回転に対するマスターレンズ群の移動距離にヒステリシスが発生し、合焦動作が不安定になるという問題もあった。さらに、騒音が発生するという問題点も有していた。
【０００８】
本発明は上記従来の問題点を解決するもので、送りネジと駆動ラックとの摺動ロスを低減すると共にヒステリシスの発生を抑制させ、かつ騒音特性を向上させた静かなレンズ移動装置を提供することを目的とする。
【０００９】
【課題を解決するための手段】
本発明は上記課題を解決するために、レンズ駆動ラックネジ部の送りネジとの係合部の光軸方向両端部のネジ形状をレンズ駆動ラックのその他のネジ部より尖り三角形の高さを高くする、あるいはレンズ駆動ラックネジ部の送りネジとの係合部の光軸方向両端部のネジピッチを送りネジピッチより大きく、又は小さくするものである。
【００１０】
【発明の実施の形態】
本発明の請求項１に記載の発明は、レンズを保持するレンズ枠と、このレンズ枠を光軸方向に移動可能に保持するガイド手段と、全ネジ形状の送りネジを有するモータ軸と、この送りネジに係合される送りネジと略同一ピッチのネジ部を有する前記レンズ枠光軸方向移動用駆動ラックを具備し、前記駆動ラックネジ部の光軸方向両端部のネジ形状を他のネジ部より尖り三角形の高さが高いことを特徴とするレンズ移動装置であり、この構成により送りネジとレンズ駆動ラックネジ部との係合部の接触面積が少なくなりグリスの粘性による負荷の増加を低減することができるので、低トルクのモータを使用することが可能になり、低消費電力化，小型軽量化が達成できる。またレンズ駆動ラックの両端部のネジ部及び両端部を除くネジ部と、位置ずれ防止ラックにより衝撃時の送りネジとレンズ駆動ラックとのネジ飛びを防止することができるという作用を有する。
【００１１】
請求項２に記載の発明は、送りネジを有するモータ軸とレンズ駆動ラックとの係合部の光軸方向両端部のレンズ駆動ラックネジピッチをモータ軸の送りネジのネジピッチと異なるように設定したことを特徴とするレンズ移動装置であり、この構成によりレンズ駆動ラックのネジ部両端のみのフランク面が送りネジに接触しているため、送りネジとレンズ駆動ラックとの摺動性を向上させることができ、又送りネジのフランク面に接していないネジ部により、衝撃時のモータ軸と駆動ラックのネジ飛び防止効果を向上させることができるという作用を有する。
【００１２】
以下、本発明の実施の形態について、図１から図２を用いて説明する。
（実施の形態１）
図１は本発明の第１の実施の形態のレンズ移動装置のモータ軸とレンズ駆動ラックとの係合部の主要部分の断面構造図である。図１において９は送りネジ９ａを有するモータ軸、１０はネジ部１０ａ，１０ｂを有するレンズ駆動ラックで前記モータ軸９の回転を直線
運動に変換するよう係合されており、前記レンズ駆動ラック１０と送りネジ９ａの係合部の両端部のネジ部１０ａの尖り三角形の高さＢは他のネジ部１０ｂの尖り三角形の高さＡより高くすることにより、レンズ駆動ラックのネジ部両端のみのフランク面が送りネジに接触しているため送りネジとレンズ駆動ラックとの摺動性を向上させている。また、送りネジ９ａに接していないネジ部１０ｂは衝撃時のモータ軸９とレンズ駆動ラック１０のネジ飛び防止効果を向上させている。
【００１３】
（実施の形態２）
図２は本発明の第２の実施の形態のレンズ移動装置のモータ軸とレンズ駆動ラックとの係合部の主要部分の断面構造図である。図２において９はネジピッチＤの送りネジ９ａを有するモータ軸、１１はネジ部１１ａ，１１ｂを有するレンズ駆動ラックで前記モータ軸９の回転を直線運動に変換するよう係合されており、前記レンズ駆動ラック１１と送りネジ９ａの係合部の両端部のネジ部１１ａのネジピッチＣは他のネジ部１１ｂのネジピッチＤより大きくすることにより、レンズ駆動ラックのネジ部両端のみのフランク面が送りネジに接触しているため送りネジとレンズ駆動ラックとの摺動性を向上させている。なお、ネジ部１１ａのネジピッチＣは他のネジ部１１ｂのネジピッチＤより小さくてもよい。また、送りネジ９ａのフランク面に接していないネジ部１１ｂは衝撃時のモータ軸９と駆動ラック１１のネジ飛び防止効果を向上させている。
【００１４】
【発明の効果】
以上のように本発明によれば、レンズを保持するレンズ枠と、このレンズ枠を光軸方向に摺動可能に保持するガイド手段と、送りネジを有するモータの駆動軸と、この駆動軸の送りネジにネジ部両端のみで係合するレンズ駆動ラックを備えることにより送りネジとレンズ駆動ラックネジ部との係合部の接触面積が少なくなりグリスの粘性による負荷の増加を防止することができるので、低トルクのモータを使用することが可能になり、低消費電力化，小型軽量化が達成でき、その効果は大なるものがある。
【図面の簡単な説明】
【図１】  本発明の第１の実施の形態におけるレンズ移動装置のモータ軸とレンズ駆動ラックとの係合部の主要部分の断面構造図
【図２】  本発明の第２の実施の形態におけるレンズ移動装置のモータ軸とレンズ駆動ラックとの係合部の主要部分の断面構造図
【図３】  従来のレンズ移動装置の断面構造図
【図４】  従来のレンズ移動装置の主要部分の一部切欠き斜視図
【図５】  従来のレンズ移動装置のモータ軸とレンズ駆動ラックとの係合部構造図
【図６】  従来のレンズ移動装置の主要部分の断面構造図
【符号の説明】
１，２  マスターレンズ
３  レンズ枠
５，６  ガイドポール
８  モータ
９  駆動軸
９ａ  送りネジ
１０，１１，１２  レンズ駆動ラック
１０ａ，１０ｂ，１１ａ，１１ｂ，１２ａ，１２ｂ  レンズ駆動ラックネジ部
【図１】
0003675026.tif 000002
【図２】
0003675026.tif 000003
【図３】
0003675026.tif 000004
【図４】
0003675026.tif 000005
【図５】
0003675026.tif 000006
【図６】
0003675026.tif 000007